(57)【特許請求の範囲】
【請求項１】
パケット・データ・ネットワークおよび回線交換網を備えるマルチテクノロジ無線通信システムにおいて、回線交換フォールバック・メッセージをルーティングする方法であって、前記方法は、
前記パケット・データ・ネットワークの移動管理エンティティ（ＭＭＥ）によってユーザ機器にサービスを提供することと；
回線交換網アクセス・ネットワーク識別子を前記移動管理エンティティが受信することであって、前記回線交換網アクセス・ネットワーク識別子は、前記ユーザ機器にサービスを提供する前記回線交換網のインターワークソリューション機能（ＩＷＳ）を特定することと；
前記回線交換網アクセス・ネットワーク識別子において特定された前記インターワークソリューション機能（ＩＷＳ）に、回線交換フォールバック・メッセージングをルーティングすることと
を有する、方法。
【請求項２】
前記回線交換網アクセス・ネットワーク識別子は、参照セル識別子の修正されたバージョンからなり、
前記参照セル識別子は、前記回線交換網の前記インターワークソリューション機能（ＩＷＳ）を特定するインターワークソリューション機能（ＩＷＳ）識別子を含むように修正される、
請求項１に記載の方法。
【請求項３】
前記回線交換フォールバック・メッセージングは、前記ユーザ機器によって前記パケット・データ・ネットワークに伝達される逆方向リンク・シグナリングを備える、
請求項１に記載の方法。
【請求項４】
前記回線交換フォールバック・メッセージングは、前記ユーザ機器を前記回線交換網に登録するための登録情報、ショート・メッセージ・サービス・メッセージ、および認証メッセージのうちの１または複数を備える、
請求項３に記載の方法。
【請求項５】
前記回線交換フォールバック・メッセージングは、呼設定シグナリングを備える、
請求項１に記載の方法。
【請求項６】
前記ルーティングすることは、前記移動管理エンティティと前記インターワークソリューション機能の間のインターネットワークトンネルを設定することを有する、
請求項１に記載の方法。
【請求項７】
パケット・データ・ネットワークおよび回線交換網を備えるマルチテクノロジ無線通信システムにおいて、回線交換フォールバック・メッセージをルーティングする方法であって、前記方法は、
前記パケット・データ・ネットワークにおいてユーザ機器に無線でサービスを提供する工程と；
参照セル識別子の修正されたバージョンを前記パケット・データ・ネットワークに保有することであって、前記参照セル識別子は、インターワークソリューション機能識別子を含むように修正され、前記インターワークソリューション機能識別子は、前記回線交換網で前記ユーザ機器にサービスを提供する前記回線交換網のインターワークソリューション機能（ＩＷＳ）を特定することと
を有する、方法。
【請求項８】
前記方法はさらに、前記参照セル識別子の前記修正されたバージョンを、前記パケット・データ・ネットワークの移動管理エンティティに提供することを有する、
請求項７に記載の方法。
【請求項９】
パケット・データ・ネットワークおよび回線交換網を備えるマルチテクノロジ無線通信システムの前記パケット・データ・ネットワーク内で動作することができるネットワーク要素であって、前記ネットワーク要素は、
複数のインターワークソリューション機能（ＩＷＳ）インターフェース・モジュールであって、前記複数のインターワークソリューション機能（ＩＷＳ）インターフェース・モジュールのそれぞれのインターワークソリューション機能（ＩＷＳ）インターフェース・モジュールは、前記ネットワーク要素と前記回線交換網のインターワークソリューション機能との間のインターフェースをとるように構成されることと；
少なくとも１つのメモリ・デバイスであって、前記少なくとも１つのメモリ・デバイスは、前記複数のインターワークソリューション機能インターフェース・モジュールのうちのそれぞれのインターワークソリューション機能インターフェース・モジュールと前記回線交換網の対応するインターワークソリューション機能との間の関連付けを保有するように構成されることと；
プロセッサであって、前記プロセッサは、前記少なくとも１つのメモリ・デバイスに結合され、ユーザ機器にサービスを提供する前記回線交換網のインターワークソリューション機能を特定する回線交換網アクセス・ネットワーク識別子を前記パケット・データ・ネットワークにおいて前記パケット・データ・ネットワークのＮｏｄｅＢから受信するように構成され、回線交換フォールバック・メッセージングを前記回線交換網アクセス・ネットワーク識別子で特定された前記インターワークソリューション機能に前記複数のインターワークソリューション機能インターフェース・モジュールのうちの対応するインターワークソリューション機能インターフェース・モジュールを介してルーティングするように構成されることと
を備える、ネットワーク要素。
【請求項１０】
前記回線交換網アクセス・ネットワーク識別子は、参照セル識別子の修正されたバージョンからなり、
前記参照セル識別子は、前記回線交換網の前記インターワークソリューション機能を特定するインターワークソリューション機能（ＩＷＳ）識別子を含むように修正される、
請求項９に記載のネットワーク要素。
【請求項１１】
前記回線交換フォールバック・メッセージングは、前記ユーザ機器によって前記パケット・データ・ネットワークに伝達される逆方向リンク・シグナリングを備える、
請求項９に記載のネットワーク要素。
【請求項１２】
前記回線交換フォールバック・メッセージングは、前記ユーザ機器を前記回線交換網に登録するための登録情報、ショート・メッセージ・サービス・メッセージ、および認証メッセージのうちの１または複数を備える、
請求項１１に記載のネットワーク要素。
【請求項１３】
前記回線交換フォールバック・メッセージングは、前記ユーザ機器に関連する呼設定シグナリングを備える、
請求項９に記載のネットワーク要素。
【請求項１４】
前記ルーティングすることは、前記ネットワーク要素と前記インターワークソリューション機能の間のインターネットワークトンネルを設定することを有する、
請求項９に記載のネットワーク要素。
【請求項１５】
パケット・データ・ネットワークおよび回線交換網を備えるマルチテクノロジ無線通信システムの前記パケット・データ・ネットワーク内で動作することができるＮｏｄｅＢであって、前記ＮｏｄｅＢは、
少なくとも１つの無線周波数受信機と；
少なくとも１つの無線周波数送信機と；
少なくとも１つのメモリ・デバイスであって、前記少なくとも１つのメモリ・デバイスは、回線交換網アクセス・ネットワーク識別子の修正されたバージョンを保有するように構成され、前記回線交換網アクセス・ネットワーク識別子は、前記回線交換網でユーザ機器にサービスを提供する前記回線交換網のインターワークソリューション機能（ＩＷＳ）を特定するインターワークソリューション機能識別子を含むことと；
プロセッサであって、前記プロセッサは、前記回線交換網アクセス・ネットワーク識別子を前記パケット・データ・ネットワークの移動管理エンティティに伝達するように構成されることと
を備える、ＮｏｄｅＢ。
【請求項１６】
前記回線交換網アクセス・ネットワーク識別子は、参照セル識別子の修正されたバージョンからなり、
前記参照セル識別子は、前記インターワークソリューション機能識別子を含むように修正される、
請求項１５に記載のＮｏｄｅＢ。
【請求項１７】
前記プロセッサはさらに、前記ユーザ機器から受信された回線交換フォールバック・メッセージングを前記移動管理エンティティにルーティングするように構成される、
請求項１５に記載のＮｏｄｅＢ。
【請求項１８】
前記回線交換フォールバック・メッセージングは、前記ユーザ機器によって前記パケット・データ・ネットワークに伝達される逆方向リンク・シグナリングを備える、
請求項１７に記載のＮｏｄｅＢ。
【請求項１９】
前記回線交換フォールバック・メッセージングは、前記ユーザ機器を前記回線交換網に登録するための登録情報、ショート・メッセージ・サービス・メッセージ、および認証メッセージのうちの１または複数を備える、
請求項１８に記載のＮｏｄｅＢ。
【請求項２０】
前記回線交換フォールバック・メッセージングは、前記ユーザ機器に関連する呼設定シグナリングを備える、
請求項１７に記載のＮｏｄｅＢ。
【発明の詳細な説明】
【技術分野】
【０００１】
本発明は、概して、無線通信システムに関し、より具体的には、複数の無線インターフェース技術を実装する無線通信システムにおいて回線交換フォールバック・メッセージングをルーティングすることに関する。
【背景技術】
【０００２】
無線通信の発展は、異なる技術のネットワークおよび対応する無線インターフェースの普及をもたらした。その結果、無線ユーザ機器（ＵＥ）が通信セッションを確立するとき、複数の技術および無線インターフェース、ならびに対応する複数の無線アクセス・ネットワーク（ＲＡＮ）は、セッションの音声部分のために利用でき、アクセスできる可能性がある。例えば、ＵＥは、主として回線音声サービスを提供する符号分割多元接続（ＣＤＭＡ）１ＸもしくはＣＤＭＡ  １Ｘ無線伝送技術（１ｘＲＴＴ：Ｒａｄｉｏ  Ｔｒａｎｓｍｉｓｓｉｏｎ  Ｔｅｃｈｎｏｌｏｇｙ）ネットワークもしくは移動体通信用グローバル・システム（ＧＳＭ（登録商標）：Ｇｌｏｂａｌ  Ｓｙｓｔｅｍ  ｆｏｒ  Ｍｏｂｉｌｅ  ｃｏｍｍｕｎｉｃａｔｉｏｎｓ）ネットワークなどのレガシ回線交換網（例えば、第２世代（２Ｇ）もしくは２．５Ｇネットワーク）に、またはパケット交換データサービスを提供する第３世代パートナーシップ・プロジェクト・ロング・ターム・エボリューション（３ＧＰＰ  ＬＴＥ）ネットワーク、第３世代パートナーシップ・プロジェクト２ウルトラ・モバイル・ブロードバンド（３ＧＰＰ２  ＵＭＢ：Ｔｈｉｒｄ  Ｇｅｎｅｒａｔｉｏｎ  Ｐａｒｔｎｅｒｓｈｉｐ  Ｐｒｏｊｅｃｔ  ２  Ｕｌｔｒａ  Ｍｏｂｉｌｅ  Ｂｒｏａｄｂａｎｄ）ネットワーク、ＷｉＭＡＸネットワークに、もしくはＩＥＥＥ８０２規格に基づく無線フィデリティ（Ｗｉ−Ｆｉ：Ｗｉｒｅｌｅｓｓ  Ｆｉｄｅｌｉｔｙ）ネットワークなどのより新しい世代のパケット・データ・ネットワークに、同時にアクセスできる可能性がある。パケット・データ・ネットワークは、ボイス・オーバ・インターネット・プロトコル（ＶｏＩＰ）サービスも提供し得る。
【０００３】
通信システムがパケット・データ・ネットワークと回線交換網の両方を含むとき、パケット・データ・ネットワークで動作するＵＥが受信音声呼を受信し、および／または回線交換網を介して送信音声呼をルーティングすることは、システムの性能にとって有益である可能性がある。これは、回線交換フォールバック（ＣＳＦＢ：ｃｉｒｃｕｉｔ  ｓｗｉｔｃｈｅｄ  ｆａｌｌｂａｃｋ）として知られる。例えば、回線交換網に関連するチャネル状態が、パケット・データ・ネットワークに関連するチャネル状態よりも好ましい可能性があるか、またはシステムの運用者が、帯域幅もしくはコストが原因で、回線交換網を用いて音声セッションを確立することを好む可能性がある。しかし、ＣＳＦＢを実装するためには、３ＧＰＰ  ＬＴＥネットワークの移動管理エンティティ（ＭＭＥ：Ｍｏｂｉｌｉｔｙ  Ｍａｎａｇｅｍｅｎｔ  Ｅｎｔｉｔｙ）などのパケット・データ・ネットワークが、パケット・データ・ネットワーク内でＵＥにサービスを提供するカバーエリアに対応する回線交換網のカバーエリアにサービスを提供するネットワーク要素を決定し、それらのネットワーク要素とシグナリングを交換することができる必要がある。通常、ＭＭＥは、複数の回線交換網のインターワークソリューション機能（ＩＷＳ：Ｉｎｔｅｒｗｏｒｋｉｎｇ  Ｓｏｌｕｔｉｏｎ  Ｆｕｎｃｔｉｏｎ）と、３ＧＰＰ  ＬＴＥネットワークに関するＳ１０２インターフェースのような複数のＩＷＳインターフェースおよびＩＷＳインターフェース・モジュールとを介して回線交換網に結合され、各ＩＷＳが、回線交換網の異なるカバーエリアにサービスを提供する。
【先行技術文献】
【特許文献】
【０００４】
【特許文献１】米国特許公開第２０１１／００４４２４８号明細書
【非特許文献】
【０００５】
【非特許文献１】Ｉｎｔｅｒｏｐｅｒａｂｉｌｉｔｙ  Ｓｐｅｃｉｆｉｃａｔｉｏｎ  （ＩＯＳ）  ｆｏｒ  Ｈｉｇｈ  Ｒａｔｅ  Ｐａｃｋｅｔ  Ｄａｔａ  （ＨＲＰＤ）  Ｒａｄｉｏ  Ａｃｃｅｓｓ  Ｎｅｔｗｏｒｋ  Ｉｎｔｅｒｆａｃｅｓ  ｗｉｔｈ  Ｓｅｓｓｉｏｎ  Ｃｏｎｔｒｏｌ  ｉｎ  ｔｈｅ  Ｐａｃｋｅｔ  Ｃｏｎｔｒｏｌ  Ｆｕｎｃｔｉｏｎ，３ＧＰＰ２  Ａ．Ｓ０００９−Ｃ  ｖ３．０，３ｒｄ  Ｇｅｎｅｒａｔｉｏｎ  Ｐａｒｔｎｅｒｓｈｉｐ  Ｐｒｏｊｅｃｔ  ２，３ＧＰＰ２，２０１０年６月
【発明の概要】
【発明が解決しようとする課題】
【０００６】
したがって、ＣＳＦＢを実装する無線通信システムにおいて、パケット・データ・ネットワーク内でアクティブなＵＥに関する回線交換網にＣＳＦＢメッセージングをルーティングするための適切なＩＷＳおよび適切なＩＷＳインターフェース・モジュールを、ＭＭＥが決定することができる方法および装置が求められている。
【課題を解決するための手段】
【０００７】
ＭＭＥが、回線交換フォールバック（ＣＳＦＢ）を実装する無線通信システムにおいて、パケット・データ・ネットワーク内でアクティブなＵＥに関する回線交換網にＣＳＦＢメッセージングをルーティングするための適切なＩＷＳおよび適切なＩＷＳインターフェース・モジュールを決定することができる方法および装置に対するニーズに対応するために、パケット・データ・ネットワークおよび回線交換網からなり、ユーザ機器にサービスを提供する回線交換網のインターワークソリューション機能（ＩＷＳ）を特定する回線交換網アクセス・ネットワーク識別子に基づき、パケット・データ・ネットワーク内で動作するユーザ機器に関連する回線交換フォールバック・メッセージをルーティングするマルチテクノロジ無線通信システムが提供される。回線交換網アクセス・ネットワーク識別子は、パケット・データ・ネットワークのＮｏｄｅＢによって保有され、ＵＥに関するＣＳＦＢを実施するときにパケット・データ・ネットワークのサービスを提供する移動管理エンティティ（ＭＭＥ）に提供される。次いで、ＭＭＥが、回線交換網アクセス・ネットワーク識別子で特定されたＩＷＳに基づき、ＣＳＦＢメッセージングのルーティングのための回線交換網のＩＷＳを選択する。
【０００８】
概して、本発明の実施形態は、パケット・データ・ネットワークおよび回線交換網からなるマルチテクノロジ無線通信システムにおける回線交換フォールバック・メッセージの方法を含む。方法は、パケット・データ・ネットワークの移動管理エンティティ（ＭＭＥ）によってユーザ機器にサービスを提供する工程と、ユーザ機器にサービスを提供する回線交換網のインターワークソリューション機能（ＩＷＳ）を特定する回線交換網アクセス・ネットワーク識別子をＭＭＥで受信する工程と、回線交換網アクセス・ネットワーク識別子で特定されたＩＷＳに回線交換フォールバック・メッセージングをルーティングする工程とからなる。
【０００９】
本発明の別の実施形態は、パケット・データ・ネットワークおよび回線交換網からなるマルチテクノロジ無線通信システムにおいて、回線交換フォールバック・メッセージをルーティングする方法を含む。方法は、パケット・データ・ネットワークにおいてユーザ機器に無線でサービスを提供する工程と、参照セル識別子（Ｒｅｆｅｒｅｎｃｅ  Ｃｅｌｌ  Ｉｄｅｎｔｉｆｉｅｒ）の修正されたバージョンをパケット・データ・ネットワークで保有する工程であって、参照セル識別子が、回線交換網でユーザ機器にサービスを提供する回線交換網のＩＷＳを特定するＩＷＳ識別子を含むように修正される、保有する工程とからなる。
【００１０】
本発明のさらに別の実施形態は、パケット・データ・ネットワークおよび回線交換網からなるマルチテクノロジ無線通信システムのパケット・データ・ネットワーク内で動作することができるネットワーク要素を含む。ネットワーク要素は、複数のＩＷＳインターフェース・モジュールを含み、それぞれのＩＷＳインターフェース・モジュールは、ネットワーク要素と回線交換網のＩＷＳとの間のインターフェースをとる（ｉｎｔｅｒｆａｃｅ  ｂｅｔｗｅｅｎ  ｔｈｅ  ｎｅｔｗｏｒｋ  ｅｌｅｍｅｎｔ  ａｎｄ  ａｎ  ＩＷＳ  ｏｆ  ｔｈｅ  ｃｉｒｃｕｉｔ  ｓｗｉｔｃｈｅｄ  ｎｅｔｗｏｒｋ）ように構成される。ネットワーク要素はさらに、複数のＩＷＳインターフェース・モジュールのうちのそれぞれのＩＷＳインターフェース・モジュールと回線交換網の対応するＩＷＳとの間の関連付けを保有するように構成される少なくとも１つのメモリ・デバイスを含む。ネットワーク要素はさらに、少なくとも１つのメモリ・デバイスに結合されたプロセッサを含み、プロセッサは、ユーザ機器にサービスを提供する回線交換網のＩＷＳを特定する回線交換網アクセス・ネットワーク識別子を、パケット・データ・ネットワークにおいてパケット・データ・ネットワークのＮｏｄｅＢから受信し、複数のＩＷＳインターフェース・モジュールのうちの対応するＩＷＳインターフェース・モジュールを介して、回線交換フォールバック・メッセージングを、回線交換網アクセス・ネットワーク識別子で特定されたＩＷＳにルーティングするように構成される。
【００１１】
本発明のさらに別の実施形態は、パケット・データ・ネットワークおよび回線交換網からなるマルチテクノロジ無線通信システムのパケット・データ・ネットワーク内で動作することができるＮｏｄｅＢを含む。ＮｏｄｅＢは、少なくとも１つの無線周波数受信機と、少なくとも１つの無線周波数送信機と、回線交換網アクセス・ネットワーク識別子の修正されたバージョンを保有するように構成される少なくとも１つのメモリ・デバイスを含み、回線交換網アクセス・ネットワーク識別子は、回線交換網でユーザ機器にサービスを提供する回線交換網のＩＷＳを特定するＩＷＳ識別子を備える。ＮｏｄｅＢはさらに、回線交換網アクセス・ネットワーク識別子をパケット・データ・ネットワークのＭＭＥに伝達するように構成されたプロセッサを備える。
【図面の簡単な説明】
【００１２】
【図１】本発明のさまざまな実施形態による無線通信システムの構成図。
【図２】本発明の１実施形態による図１のユーザ機器の構成図。
【図３】本発明の１実施形態による図１のパケット・データ・ネットワークのＮｏｄｅＢの構成図。
【図４】本発明の１実施形態による図１の回線交換網の無線アクセス・ノードの構成図。
【図５】本発明の１実施形態による図１の回線交換網の無線アクセス・ノード・コントローラの構成図。
【図６】本発明の１実施形態による図１の移動管理エンティティの構成図。
【図７】本発明の１実施形態による図１のインターワークソリューション機能の構成図。
【図８】本発明の１実施形態による図１の移動通信交換局（Ｍｏｂｉｌｅ  Ｓｗｉｔｃｈｉｎｇ  Ｃｅｎｔｅｒ）の構成図。
【図９Ａ】本発明のさまざまな実施形態による、図１のパケット・データ・ネットワークによって図１の回線交換網に回線交換フォールバック・トラフィックをルーティングする際に図１の通信システムによって実行される方法を示す論理フロー図。
【図９Ｂ】本発明のさまざまな実施形態による、図１のパケット・データ・ネットワークによって図１の回線交換網に回線交換フォールバック・トラフィックをルーティングする際に図１の通信システムによって実行される方法を示す図９Ａの論理フロー図の続きの図。
【発明を実施するための形態】
【００１３】
当業者は、図中の要素が、簡単かつ明瞭であるように示されており、必ずしも正確な縮尺で描かれていないことを認めるであろう。例えば、図中の要素の一部の寸法は、本発明のさまざまな実施形態の理解を深めるのに役立つように、その他の要素に比して誇張されている可能性がある。また、商業化が可能な実施形態において有用であるかまたは必要であるよくある十分に知られている要素は、多くの場合、本発明のこれらのさまざまな実施形態の図をより見やすくするために示されていない。
【００１４】
ここで図面に目を向けると、本発明が、図１〜図９Ｂを参照してより完全に説明され得る。図１は、本発明のさまざまな実施形態による無線通信システム１００の構成図である。通信システム１００は、パケット・データ・ネットワーク１１０と回線交換網１３０の両方からなるマルチテクノロジ無線通信システムである。通信システム１００は、無線ユーザ機器（ＵＥ）１０２、例えば、これらに限定されないが、セルラ電話、無線電話、または無線音声通信に対応した携帯情報端末（ＰＤＡ）、パーソナル・コンピュータ（ＰＣ）、もしくはラップトップ・コンピュータを含む。ＵＥ１０２は、通信システム１００のパケット・データ・ネットワーク１１０を用いたパケット・データ音声呼に関与することができ、さらに、通信システムの回線交換網１３０を用いた回線交換音声呼に関与することができる。ＵＥ１０２は、より具体的には、符号分割多元接続（ＣＤＭＡ）１ＸまたはＣＤＭＡ  １Ｘ無線伝送技術（１ｘＲＴＴ）プロトコルなどのレガシ・プロトコルによって回線交換網の無線アクセス・ネットワーク（ＲＡＮ）１３２と通信することができ、より新しい世代のプロトコルによって、例えば、第３世代パートナーシップ・プロジェクト・ロング・ターム・エボリューション（３ＧＰＰ  ＬＴＥ）プロトコルによってパケット・データ・ネットワークのＲＡＮ１１２と通信することができる。
【００１５】
回線交換網１３０は、複数の回線交換網無線アクセス・ネットワーク（ＲＡＮ）１３２〜１３９（８つを図示）を含む。複数のＲＡＮ１３２〜１３９のうちのそれぞれのＲＡＮは、無線基地局（ＢＴＳ）または当技術分野で知られている任意のその他の種類の回線交換網の無線アクセス・ノードである可能性がある、ＲＡＮ１３２のアクセス・ノード１４２などの無線アクセス・ノードを含む。複数のＲＡＮ１３２〜１３９のそれぞれのＲＡＮはさらに、基地局コントローラ（ＢＳＣ）、集中基地局コントローラ（ＣＢＳＣ：Ｃｅｎｔｒａｌｉｚｅｄ  Ｂａｓｅ  Ｓｔａｔｉｏｎ  Ｃｏｎｔｒｏｌｌｅｒ）、無線アクセス・ネットワーク・コントローラ（ＲＮＣ）、または当技術分野で知られている任意のその他の種類の回線交換網の無線アクセス・ノード・コントローラである可能性がある、ＲＡＮ１３２のアクセス・ノード・コントローラ１４４などの、アクセス・ノードに動作可能なように結合される無線アクセス・ノード・コントローラを含む。回線交換網１３０はさらに、好ましくはＡ１インターフェースによって複数のＲＡＮ１３２〜１３９のうちの１または複数に結合される少なくとも１つの移動通信交換局（ＭＳＣ）１３８を含む。
【００１６】
パケット・データ・ネットワーク１１０は、進化型ユニバーサル地上無線アクセス・ネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）などのパケット・データＲＡＮ１１２を含む。ＲＡＮ１１２は、ＮｏｄｅＢ、ｅＮｏｄｅＢ、または当技術分野で知られている任意のその他の種類のパケット・データ・ネットワークのアクセス・ノード（これらのパケット・データ・ネットワークのアクセス・ノードは本明細書においてはまとめて「ＮｏｄｅＢ」と呼ばれる）などのパケット・データ・ネットワークのアクセス・ノード１１４を含む。パケット・データ・ネットワーク１１０はさらに、好ましくはＳ１−ＵインターフェースによってＲＡＮ１１２に結合されるゲートウェイ１１８と、好ましくはＳ１−ＭＭＥインターフェースによってＲＡＮ１１２に結合され、好ましくはＳ１１インターフェースによってゲートウェイ１１８に結合される移動管理エンティティ（ＭＭＥ）１２０とを含む。ゲートウェイ１１８は、サービング・ゲートウェイ（Ｓｅｒｖｉｎｇ  Ｇａｔｅｗａｙ）（サービングＧＷＧ（Ｓｅｒｖｉｎｇ  ＧＷＧ））および公衆データ・ネットワーク（ＰＤＮ）ゲートウェイのうちの１または複数からなる。
【００１７】
ＲＡＮ１１２およびＲＡＮ１３２〜１３９のそれぞれは、ＲＡＮのセルまたはセルのセクタなどのカバーエリア内に位置するユーザ機器（ＵＥ）に無線通信サービスを提供する。例えば、ＲＡＮ１１２は、無線インターフェース１０４によって、ＲＡＮのカバーエリア１１１内に位置するＵＥに無線通信サービスを提供し、ＲＡＮ１３２は、無線インターフェース１０６によって、ＲＡＮのカバーエリア１３１内に位置するＵＥに無線通信サービスを提供する。各無線インターフェース１０４、１０６は、パイロット・チャネル、少なくとも１つの順方向リンク・トラフィック・チャネル、ならびに順方向リンク共通および個別シグナリング・チャネルを含む順方向リンクを含む。各無線インターフェース１０４、１０６はさらに、少なくとも１つの逆方向リンク・トラフィック・チャネル、逆方向リンク共通および個別シグナリング・チャネル、ならびにアクセスチャネルを含む逆方向リンクを含む。
【００１８】
本発明の目的のために、本明細書においては、パケット・データ・ネットワーク１１０のＲＡＮ１１２の、および特にＮｏｄｅＢ１１４のカバーエリア１１１は、回線交換網１３０のＲＡＮ１３２の、および特にアクセス・ノード１４２のカバーエリア１３１に実質的に対応すると仮定する。つまり、本明細書においては、カバーエリア１１１の少なくとも一部の中にあり、ＲＡＮ１１２によって、および特にＮｏｄｅＢ１１４によって無線サービスを提供されるＵＥ１０２などのＵＥが、ＲＡＮ１３２によって、および特にアクセス・ノード１４２によっても無線サービスを提供されることができ、同様に、ＲＡＮ１３２のカバーエリア１３１の少なくとも一部の中にあり、ＲＡＮ１３２によって、および特にアクセス・ノード１４２によって無線サービスを提供されるＵＥ１０２などのＵＥが、ＲＡＮ１１２によって、および特にＮｏｄｅＢ１１４によっても無線サービスを提供されることができるように、カバーエリア１１１とカバーエリア１３１が部分的にまたは完全に重なっている（本明細書においては対応カバーエリアとも呼ばれる）と仮定する。例えば、そのような重なりは、回線交換網１３０のセクタのパケット・データ・ネットワーク１１０のセルに対する１対１のマッピング（例えば、回線交換網１３０のセクタが、パケット・データ・ネットワーク１１０のセルと同じアンテナを使用する場合）、回線交換網１３０のセクタのパケット・データ・ネットワーク１１０のセルに対する１対多のマッピング（例えば、回線交換網１３０のセクタが、パケット・データ・ネットワーク１１０のセルよりも大きく、複数のパケット・データ・ネットワーク１１０のセルをカバーする場合）、または回線交換網１３０のセクタのパケット・データ・ネットワーク１１０のセルに対する多対１のマッピング（例えば、パケット・データ・ネットワーク１１０のセルが、回線交換網１３０のセクタよりも大きく、複数の回線交換網１３０のセクタをカバーする場合）を含み得る。
【００１９】
パケット・データ・ネットワーク１１０および回線交換網１３０、および、より具体的には、パケット・データ・ネットワークのＭＭＥ１２０および回線交換網のＭＳＣ１３８は、インターワークソリューション機能（ＩＷＳ）を介して互いに通信する。つまり、ＭＭＥ１２０は、複数のインターワークソリューション機能（ＩＷＳ）１２２〜１２９（図１には８つが示されている）に結合される。ＩＷＳ１２２〜１２９はそれぞれ、パケット・データ・ネットワーク１１０および特にＭＭＥ１２０と、ＩＷＳによってサービスを提供される回線交換網のセル／セクタ／ＲＡＮとの間のインターワーク機能を提供する。例えば、ＩＷＳ１２２は、パケット・データ・ネットワーク１１０、およびより具体的にはＭＭＥ１２０と、回線交換網１３０のＲＡＮ１３２、アクセス・ノード・コントローラ１４４、アクセス・ノード１４２、およびカバーエリア１３１との間のインターワーク機能を提供する。
【００２０】
ＩＷＳ１２２〜１２９はそれぞれ、回線交換網１３０との回線交換網シグナリングをサポートする。回線交換網１３０がＣＤＭＡ  １ｘＲＴＴネットワークであるとき、ＩＷＳ１２２〜１２９はそれぞれ、回線交換網とのＡ１／Ａ１ｐシグナリングをサポートする。上述のように、ＩＷＳ１２２〜１２９はそれぞれ、パケット・データ・ネットワーク１１０および特にＭＭＥ１２０ともインターフェースをとり（ｉｎｔｅｒｆａｃｅｓ  ｔｏ  ｐａｃｋｅｔ  ｄａｔａ  ｎｅｔｗｏｒｋ  １１０，  ａｎｄ  ｉｎ  ｐａｒｔｉｃｕｌａｒ  ｔｏ  ＭＭＥ  １２０）、パケット・データ・ネットワークとのパケット・データ・シグナリングもサポートする。例えば、各ＩＷＳ１２２〜１２９は、回線交換網シグナリングをパケット・データ・ネットワーク・シグナリングにカプセル化し、それによって、回線交換メッセージがパケット・データ・ネットワーク１１０でＵＥに無線で転送されることを可能にすることができる。
【００２１】
図１に示されるように、ＩＷＳ１２２〜１２９のうちの１または複数が、ＭＳＣ１３８に結合される。本発明のさまざまな実施形態において、各ＩＷＳ１２２〜１２９はさらに、ＩＷＳによってサービスを提供される回線交換網のＲＡＮのアクセス・ノードおよびアクセス・ノード・コントローラのうちの１または複数に結合されてもよく、例えば、ＩＷＳ１２２に関しては、ＲＡＮ１３２のアクセス・ノード１４２およびアクセス・ノード・コントローラ１４４のうちの１または複数にさらに結合されてもよい。本発明のさまざまな実施形態において、各ＩＷＳ１２２〜１２９はアクセス・ノードおよびアクセス・ノード・コントローラとは別のエンティティとして示されているが、各ＩＷＳ１２２〜１２９は、ＩＷＳ１２２に対するＲＡＮ１３２などの対応するＲＡＮに含まれてもよく、ＲＡＮ１３２のアクセス・ノード１４２およびアクセス・ノード・コントローラ１４４などのＲＡＮのアクセス・ノードまたはアクセス・ノード・コントローラのうちの１または複数によって実装されてもよい。全体として、ＲＡＮ１３２〜１３９のアクセス・ノードおよびアクセス・ノード・コントローラ、ＮｏｄｅＢ１１４、ゲートウェイ１１８、ＭＭＥ１２０、ＩＷＳ１２２〜１２９、ならびにＭＳＣ１３８は、まとめて、通信システム１００の通信ネットワークまたはインフラストラクチャと呼ばれてもよく、通信システムのそれぞれのそのような要素は、本明細書においてはネットワーク要素とも呼ばれてもよい。
【００２２】
上に挙げられたインターフェースは、すべて当技術分野において知られており、本明細書においてはより詳細に説明されない。さらに、本明細書においては、通信システム１００のネットワーク要素のうちの多くの間に単一のインターフェースが示されたが、要素の間のそれぞれの相互接続は、複数の相互接続ならびに／またはシグナリング・インターフェースおよびベアラ・インターフェースもしくは音声情報の交換用の経路のような経路のうちの１または複数などのインターフェースからなっていてもよい。
【００２３】
ここで図２〜図８を参照すると、ＵＥ１０２、ＮｏｄｅＢ１１４、アクセス・ノード１４２、アクセス・ノード・コントローラ１４４、ＭＭＥ１２０、ＩＷＳ１２２〜１２９などのＩＷＳ７００、およびＭＳＣ１３８のアーキテクチャが、それぞれ、本発明の１実施形態にしたがって与えられている。ＵＥ１０２、ＮｏｄｅＢ１１４、アクセス・ノード１４２、アクセス・ノード・コントローラ１４４、ＭＭＥ１２０、ＩＷＳ７００、およびＭＳＣ１３８のそれぞれは、１または複数のマイクロプロセッサ、マイクロコントローラ、デジタル信号プロセッサ（ＤＳＰ）、特注のプロセッサ、フィールド・プログラマブル・ゲートアレイ（ＦＰＧＡ）、またはこれらの組み合わせ、または当業者に知られているそのようなその他のデバイスなどのそれぞれのプロセッサ２０２、３０２、４０２、５０２、６０２、７０２、８０２を含み、それらのプロセッサは、本明細書においてＵＥ、ＮｏｄｅＢ、アクセス・ノード、アクセス・ノード・コントローラ、ＭＭＥ、ＩＷＳ、およびＭＳＣによって実行されると説明された機能を実行するように構成される。
【００２４】
ＵＥ１０２、ＮｏｄｅＢ１１４、アクセス・ノード１４２、アクセス・ノード・コントローラ１４４、ＭＭＥ１２０、ＩＷＳ７００、およびＭＳＣ１３８のそれぞれはさらに、これらに限定されないが、ハードディスク、ＣＤ−ＲＯＭ、光学記憶装置、磁気記憶装置、ランダム・アクセス・メモリ（ＲＡＭ）、ダイナミック・ランダム・アクセス・メモリ（ＤＲＡＭ）、読み出し専用メモリ（ＲＯＭ）、プログラマブル読み出し専用メモリ（ＰＲＯＭ）、消去可能プログラマブル読み出し専用メモリ（ＥＰＲＯＭ：Ｅｒａｓａｂｌｅ  Ｐｒｏｇｒａｍｍａｂｌｅ  Ｒｅａｄ  Ｏｎｌｙ  Ｍｅｍｏｒｙ）、電気的消去可能プログラマブル読み出し専用メモリ（ＥＥＰＲＯＭ：Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、フラッシュメモリ、またはこれらの等価物などのそれぞれの少なくとも１つのメモリ・デバイス２０４、３０４、４０４、５０４、６０４、７０４、８０４を含み、それらのメモリ・デバイスは、プロセッサに結合され、関連するプロセッサによって実行されることができ、ＵＥ、ＮｏｄｅＢ、アクセス・ノード、アクセス・ノード・コントローラ、ＭＭＥ、ＩＷＳ、およびＭＳＣが通信システム１００内で動作するのに必要なすべての機能を実行することを可能にするデータおよびプログラムを保有する。ＩＷＳ１２２がアクセス・ノード１４２またはアクセス・ノード・コントローラ１４４によって実装されるとき、ＩＷＳは、当該アクセス・ノードまたは当該アクセス・ノード・コントローラの関連する少なくとも１つのメモリ・デバイス（つまり、少なくとも１つのメモリ・デバイス４０４および５０４）に保有された命令に基づいて当該アクセス・ノードまたは当該アクセス・ノード・コントローラのプロセッサ（つまり、プロセッサ４０２および５０２）によって実装されてもよい。
【００２５】
ＵＥ１０２の少なくとも１つのメモリ・デバイス２０４はさらに、ネットワーク１１０と１３０の間の切り替えを容易にする事前にプログラムされた情報を保有してもよい。加えて、ＮｏｄｅＢ１１４の少なくとも１つのメモリ・デバイス３０４は、回線交換網１３０の対応するカバーエリア、アクセス・ノード、および／またはアクセス・ノード・コントローラの識別子を含む、ＣＤＭＡ  １Ｘネットワークにおける参照セル識別子（参照セルＩＤ）の修正されたバージョンなどの「回線交換網アクセス・ネットワーク識別子」を保有する。例えば、ＮｏｄｅＢ１１４の少なくとも１つのメモリ・デバイス３０４に保有される回線交換網アクセス・ネットワーク識別子は、セル識別子（Ｃｅｌｌ＿ＩＤ）、セクタ識別子、またはロケーション・エリア識別子（ＬＡＩ：Ｌｏｃａｔｉｏｎ  Ａｒｅａ  Ｉｄｅｎｔｉｆｉｅｒ）などのカバーエリア１３１の識別子と、基地局識別子（ＢＳ＿ＩＤ）などのアクセス・ノード１４２の識別子と、基地局コントローラ識別子（ＢＳＣ＿ＩＤ）または集中基地局コントローラ識別子（ＣＢＳＣ＿ＩＤ）などのアクセス・ノード・コントローラ１４４の識別子とのうちの１または複数を含む。しかし、先行技術の参照セルＩＤなどの先行技術のアクセス・ネットワーク識別子とは異なり、回線交換網アクセス・ネットワーク識別子はさらに、カバーエリア／アクセス・ノード／アクセス・ノード・コントローラにサービスを提供するＩＷＳ、例えば、カバーエリア１３１、アクセス・ノード１４２、およびアクセス・ノード・コントローラ１４４に対するＩＷＳ１２２の識別子（ＩＷＳ  ＩＤ）を含む。回線交換網アクセス・ネットワーク識別子は、ＮｏｄｅＢ１１４に事前にプログラムされることができるか、またはＮｏｄｅＢによってサービスを提供されるＵＥによってＮｏｄｅＢに伝達される、および／もしくはＮｏｄｅＢからＮｏｄｅＢによってサービスを提供されるＵＥに伝達されるメッセージングの中の識別子を監視することによってＮｏｄｅＢによって動的に決定されることができる。
【００２６】
ＭＭＥ１２０はさらに、それぞれがプロセッサ６０２と通信している複数のＩＷＳインターフェース・モジュール６１２〜６１９を含む。Ｓ１０２インターフェース・モジュールまたはＡ２１インターフェース・モジュールなどの各ＩＷＳインターフェース・モジュール６１２〜６１９は、ＭＭＥに結合された対応するＩＷＳ１２２〜１２９とのインターフェースを提供し、ＩＷＳインターフェース・モジュール６１２〜６１９と対応するＩＷＳ１２２〜１２９の間のこの関連付けは、ＭＭＥの少なくとも１つのメモリ・デバイス６０４に保有される。例えば、ＭＭＥ１２０は、ＩＷＳインターフェース・モジュール６１２を介してＩＷＳ１２２と通信し、それによって、ＩＷＳ１２２およびＭＳＣ１３８を介してＲＡＮ１３２、ならびに特にアクセス・ノード１４２およびアクセス・ノード・コントローラ１４４と通信し、さらに、アクセス・ノード１４２およびアクセス・ノード・コントローラ１４４を介して、アクセス・ノード１４２およびアクセス・ノード・コントローラ１４４によってサービスを提供されるカバーエリア１３１内にあるＵＥ１０２などのＵＥと通信する。
【００２７】
ＵＥ１０２はさらに、プロセッサ２０２と通信している少なくとも１つの無線周波数（ＲＦ）受信機２０６および少なくとも１つのＲＦ送信機２０８を含む。少なくとも１つの無線周波数（ＲＦ）受信機２０６および少なくとも１つのＲＦ送信機２０８は、通信システム１００のインフラストラクチャおよび特にＲＡＮ１１２とＲＡＮ１３２の両方から無線で信号を受信し、それらに無線で信号を送信する。例えば、ＵＥ１０２は、ＮｏｄｅＢ１１４およびアクセス・ノード１４２のどちらか片方と通信するか、またはＮｏｄｅＢ１１４とアクセス・ノード１４２の両方と同時に通信することができる。同様に、ＮｏｄｅＢ１１４およびアクセス・ノード１４２のそれぞれはさらに、対応するプロセッサ３０２および４０２と通信している少なくとも１つのＲＦ受信機３０６、４０６それぞれおよび少なくとも１つのＲＦ送信機３０８、４０８それぞれを含む。少なくとも１つのＲＦ受信機３０６、４０６それぞれおよび少なくとも１つのＲＦ送信機３０８、４０８それぞれは、ＵＥ１０２などの、ＮｏｄｅＢ１１４またはアクセス・ノード１４２によってサービスを提供されるＵＥから無線で信号を受信し、そのＵＥに無線で信号を送信する。
【００２８】
本明細書において別途指定されない限り、本明細書においてＵＥ１０２、ＮｏｄｅＢ１１４、アクセス・ノード１４２、アクセス・ノード・コントローラ１４４、ＭＭＥ１２０、ＩＷＳ１２２、およびＭＳＣ１３８によって実行されると説明された機能は、ソフトウェア・プログラムおよび命令を用いて、またはそれらのソフトウェア・プログラムおよび命令の内部に実装される。それらのソフトウェア・プログラムおよび命令は、ＵＥ、ＮｏｄｅＢ、アクセス・ノード、アクセス・ノード・コントローラ、ＭＭＥ、ＩＷＳ、およびＭＳＣに関連する少なくとも１つのメモリ・デバイス２０４、３０４、４０４、５０４、６０４、７０４、８０４それぞれに記憶され、且つＵＥ、ＮｏｄｅＢ、アクセス・ノード、アクセス・ノード・コントローラ、ＭＭＥ、ＩＷＳ、およびＭＳＣに関連するプロセッサ２０２、３０２、４０２、５０２、６０２、７０２、８０２によって実行される。しかし、当業者は、本発明の実施形態が、代替的に、ハードウェア、例えば、集積回路（ＩＣ）、ＡＳＩＣなどで実装され得ることを認める。そのようなハードウェアは、たとえばＵＥ、ＮｏｄｅＢ、アクセス・ノード、アクセス・ノード・コントローラ、ＭＭＥ、およびＭＳＣのうちの１または複数に実装された特定用途向け集積回路（ＡＳＩＣ）である。本開示に基づいて、当業者は、元に戻す実験（ｕｎｄｏ  ｅｘｐｅｒｉｍｅｎｔａｔｉｏｎ）なしにそのようなソフトウェアおよび／またはハードウェアを容易に生産および実装することができる。
【００２９】
ＵＥ１０２がパケット・データ・ネットワーク１１０または回線交換網１３０のいずれかの通信セッションに加わる（ｅｎｇａｇｅ）ために、ＵＥ１０２、パケット・データ・ネットワーク１１０、および回線交換網１３０のそれぞれは、知られている無線電気通信プロトコルにしたがって動作する。回線交換網１３０は、レガシ通信システム、好ましくはＣＤＭＡ  １ＸまたはＣＤＭＡ  １ｘＲＴＴネットワークである。レガシ通信システムは、ネットワークによってサービスを提供される加入者に回線交換通信サービスを提供し（パケット・データサービスも提供することができる）、ＣＤＭＡ  １ＸまたはＣＤＭＡ  １Ｘ無線伝送技術（１ｘＲＴＴ）規格などのレガシ・システム規格にしたがって動作する。パケット・データ・ネットワーク１３０は、ネットワークによってサービスを提供される加入者にパケット・データ通信サービスを提供するより新しい世代の通信システム、好ましくは３ＧＰＰ  ＬＴＥ通信システムである。互換性を保証するために、無線システムパラメータおよび呼処理の手順が、それらの規格によって定められている。無線システムパラメータおよび呼処理の手順は、呼処理の工程を含み、呼処理の工程は、ＵＥおよびＵＥにサービスを提供する基地局サブシステムまたはその他のアクセス・ネットワークによって、ならびに基地局サブシステムまたはその他のアクセス・ネットワークと、関連するインフラストラクチャとの間で、実行される。しかし、当業者は、パケット・データ・ネットワーク１３０が、さまざまな無線パケット・データ通信規格のうちのいずれか１つにしたがって動作してもよく、回線交換網１１０が、回線交換通信サービスを提供する移動体通信用グローバル・システム（ＧＳＭ（登録商標））規格などのさまざまなよく知られているレガシ無線電気通信規格のうちのいずれか１つにしたがって動作してもよいことを認識する。さまざまな無線パケット・データ通信規格は、３ＧＰＰ２  ＵＭＢ規格、ＷｉＭＡＸ規格、および米国電気電子学会（ＩＥＥＥ）８０２．ｘｘ規格、例えば、８０２．１１、８０２．１５、または８０２．１６、または８０２．２０規格などのマルチメディア・パケット・データに基づく通信セッションをサポートする。
【００３０】
通信システム１００において、ＵＥ１０２はパケット・データ・ネットワーク１１０内で動作しているが、ＵＥ１０２は、回線交換網１３０を介してＵＥの音声呼または通信セッションの音声部分を確立することが望ましい可能性がある。例えば、当技術分野で知られているように、通信システム１００内を動き回り（ｒｏａｍｉｎｇ）、且つＲＡＮ１１２によってサービスを提供されている一方で、ＵＥ１０２は、ＲＡＮ１３２からより強い信号を受信してもよい。通常、信号強度は、ＵＥ１０２などのＵＥがＲＡＮに関連するパイロット・チャネルを測定することによって判定される。別の例として、回線交換網１３０上でＵＥ１０２を動作させることに関連するコストは、パケット・データ・ネットワーク１１０上でＵＥ１０２を動作させることに関連するコストよりも低くてもよく、または通信システム１００の運用者は、拡張済みの回線交換網１３０を回線交換網によってサポートされ得るあらゆるサービスのために利用したいと望む可能性がある。さらに他の例として、負荷分散の目的または混雑緩和の目的で、通信システム１００の運用者は、パケット・データ・ネットワーク１１０内でアクティブなＵＥ１０２などのＵＥの音声呼または通信セッションの音声部分に回線交換網１３０を利用することが望ましいことに気付く可能性がある。
【００３１】
パケット・データ・ネットワーク１１０内でアクティブなＵＥ１０２などのＵＥの音声呼または通信セッションの音声部分を回線交換網１３０において確立することを容易にするために、通信システム１００は、回線交換フォールバック（ＣＳＦＢ）音声呼確立方式（ｖｏｉｃｅ  ｃａｌｌ  ｅｓｔａｂｌｉｓｈｍｅｎｔ  ｓｃｈｅｍｅ）を実装する。つまり、当技術分野（例えば、３ＧＰＰ技術仕様（ＴＳ）２３．２７２）で知られているように、パケット・データ・ネットワークと回線交換網の両方を実装する通信システム１００などの通信システムは、パケット・データ・ネットワーク内でアクティブなＵＥに関して回線交換網において音声呼または通信セッションの音声部分を確立することができる。加えて、通信システム１００のＣＳＦＢ方式の実装の一部として、通信システム１００は、ＣＳＦＢ方式をサポートするＣＳＦＢサービスを実装する。ＣＳＦＢ方式はたとえば、パケット・データ・ネットワーク１１０を介した回線交換網１３０におけるＵＥの登録、ならびにメッセージトンネリング、例えば、音声通信または回線交換網とパケット・データ・ネットワークの間のＣＳＦＢをサポートする任意のその他のメッセージングのトンネリングなどのパケット・データ・ネットワークと回線交換網の間で交換されるその他のメッセージングなどである。
【００３２】
ＮｏｄｅＢ１１４がＭＭＥ１２０にＣＳＦＢシグナリング・トラフィックを伝達するとき、ＮｏｄｅＢは、回線交換網識別子を含み、回線交換網識別子は、ＮｏｄｅＢによってサービスを提供されるカバーエリア１１１とカバー範囲が重なる回線交換網１３０のセルおよび／またはセルのセクタなどのカバーエリア、つまりカバーエリア１３１などを特定する。次に、ＭＭＥ１２０は、受信されたＣＳＦＢシグナリング・トラフィックを、回線交換網１３０のアクセス・ノードにサービスを提供するＩＷＳに、伝達する。回線交換網１３０のアクセス・ノード、つまりアクセス・ノード１４２は、対応するＩＷＳを介して、特定されたカバーエリアつまりカバーエリア１３１に、サービスを提供する。しかし、アクセス・ノード１４２と通信するためには、ＭＭＥ１２０は、複数のＩＷＳ１２２〜１２９のうちのいずれのＩＷＳと通信すべきか、および複数のＩＷＳインターフェース・モジュール６１２〜６１９のうちのいずれのＩＷＳインターフェース・モジュールをそのような通信で利用すべきかを決定しなければならない。
【００３３】
そのような通信を容易にするために、通信システム１００は、「回線交換網アクセス・ネットワーク識別子」を提供し、「回線交換網アクセス・ネットワーク識別子」は、上述のように、ＮｏｄｅＢまたはパケット・データ・ネットワーク１１０に対応する回線交換網１３０のカバーエリア、アクセス・ノード、および／またはアクセス・ノード・コントローラの識別子を含む。例えば、ＮｏｄｅＢ１１４の少なくとも１つのメモリ・デバイス３０４に保有される回線交換網アクセス・ネットワーク識別子は、カバーエリア１３１の識別子、アクセス・ノード１４２の識別子、および／またはアクセス・ノード・コントローラ１４４の識別子を含む。カバーエリア１３１の識別子はたとえば、セル識別子（Ｃｅｌｌ＿ＩＤ）、セクタ識別子、もしくはロケーション・エリア識別子（ＬＡＩ）などである。アクセス・ノード１４２の識別子は、基地局識別子（ＢＳ＿ＩＤ）などである。アクセス・ノード・コントローラ１４４の識別子は、基地局コントローラ識別子（ＢＳＣ＿ＩＤ）もしくは集中基地局コントローラ識別子（ＣＢＳＣ＿ＩＤ）などである。ＮｏｄｅＢ１１４の少なくとも１つのメモリ・デバイス３０４に保有される回線交換網アクセス・ネットワーク識別子はさらに、ＩＷＳの識別子つまりＩＷＳ１２２の識別子（ＩＷＳ識別子またはＩＷＳ  ＩＤ）を含む。ＩＷＳは、回線交換網１３０の対応するカバーエリア、つまりカバーエリア１３１、アクセス・ノード１４２、およびアクセス・ノード・コントローラ１４４にサービスを提供する。加えて、回線交換網アクセス・ネットワーク識別子は、当該カバーエリアにサービスを提供するＭＳＣつまりＭＳＣ１３８を特定するＭＳＣ識別子（ＭＳＣＩＤ）を、含み得る。例えば、本発明の１つのそのような実施形態において、ＩＷＳ  ＩＤは、通信システム１００内のＩＷＳを一意に特定する識別子でもよい。本発明の別のそのような実施形態において、ＩＷＳが回線交換網のアクセス・ノード・コントローラによって実装されるとき、ＩＷＳに関連するＩＷＳ  ＩＤは、ＢＳＣ識別子（ＢＳＣ＿ＩＤ）もしくはＣＢＳＣ識別子（ＣＢＳＣ＿ＩＤ）などの、ＩＷＳを実装するアクセス・ノード・コントローラの識別子でもよい。またはＩＷＳが回線交換網のアクセス・ノードによって実装されるとき、ＩＷＳに関連するＩＷＳ  ＩＤは、ＩＷＳを実装するアクセス・ノードの識別子でもよい。このように、ＮｏｄｅＢ１１４から受信された回線交換網アクセス・ネットワーク識別子に基づき、ＭＭＥ１２０は、受信されたＣＳＦＢシグナリング・トラフィックのルーティングのためにＩＷＳおよび対応するＩＷＳインターフェース・モジュールを決定することができる。
【００３４】
ここで図９Ａおよび図９Ｂを参照すると、本発明のさまざまな実施形態による、パケット・データ・ネットワーク１１０によって回線交換網１３０にＣＳＦＢメッセージをルーティングする際に通信システム１００によって実行される方法を示す論理フロー図９００が、与えられている。論理フロー図９００は、ＵＥ１０２がパケット・データ・ネットワーク１１０内でアクティブになり（９０４）、パケット・データ・ネットワーク１１０に接続するときに始まる（９０２）。例えば、アクティブ化は、ＵＥがパケット・データ・ネットワーク１１０内で起動した結果でもよく、またはＵＥがパケット・データ・ネットワーク内に移動してきた結果でもよい。アクティブ化工程の一部として、ＵＥは、パケット・データ・ネットワーク１１０に登録する（９０６）。
【００３５】
次いで、パケット・データ・ネットワークおよび特にＭＭＥ１２０は、ＵＥを、関連する回線交換網１３０および特にＭＳＣ１３８に登録することができる。例えば、３ＧＰＰ規格（ＴＳ２３．２７２）は、ＵＥ１０２などのＵＥが、パケット・データ・ネットワーク１１０などのパケット・データ・ネットワークおよび特にＭＭＥ１２０などのパケット・データ・ネットワークのＭＭＥに、要求することができる仕組みを提供する。ＵＥは、当該ＵＥがパケット・データ・ネットワークと回線交換網１３０などの対応する回線交換網との両方に登録されることを要求する。３ＧＰＰ規格の下で、ＭＭＥは、回線交換網のＭＳＣに対してサービング・ゲートウェイ・サポート・ノード（ＳＧＳＮ：Ｓｅｒｖｉｎｇ  Ｇａｔｅｗａｙ  Ｓｕｐｐｏｒｔ  Ｎｏｄｅ）として働き、したがって、ＭＳＣは、ＵＥがパケット・データ・ネットワークではなく回線交換網にアタッチされると考え、この認識されたＳＧＳＮを介して位置更新を実行する。本発明の１実施形態において、ＵＥがＭＭＥに登録するとき、ＭＭＥは、ＵＥにＬＴＥネットワークのトラッキング・エリア識別子（Ｔｒａｃｋｉｎｇ  Ａｒｅａ  Ｉｄｅｎｔｉｆｉｅｒ）などのパケット・データ・ネットワークの位置識別子を与える。通信システム１００において、登録工程の一部として、ＮｏｄｅＢ１１４は、当該ＮｏｄｅＢによって保有されている回線交換網アクセス・ネットワーク識別子をＭＭＥ１２０に提供し、ＭＭＥは、回線交換網アクセス・ネットワーク識別子に基づき、ＵＥがいるカバーエリアの回線交換網１３０、つまりカバーエリア１３１にサービスを提供する回線交換網１３０のＭＳＣ、つまりＭＳＣ１３８に、ＵＥを登録する。
【００３６】
回線交換網１３０と通信するときに使用すべき適切なＩＷＳおよび対応するＩＷＳインターフェース・モジュールを決定するために、回線交換網アクセス・ネットワーク識別子は、回線交換網１３０のカバーエリア、つまりカバーエリア１３１にサービスを提供するＩＷＳを特定するＩＷＳ識別子（ＩＷＳ  ＩＤ）を含む。カバーエリアは、ＮｏｄｅＢによってサービスを提供されるカバーエリア、つまりカバーエリア１１１に対応する。回線交換網アクセス・ネットワーク識別子に基づき、および特に回線交換網アクセス・ネットワーク識別子に含まれるＩＷＳ  ＩＤを参照することによって、ＭＭＥ１２０は、ＩＷＳ、つまりＩＷＳ１２２と、対応するＩＷＳインターフェース・モジュール、つまりＩＷＳインターフェース・モジュール６１２とを選択する（９０７）。対応するＩＷＳインターフェース・モジュールは、ＵＥ１０２にサービスを提供する回線交換網１３０のカバーエリア、つまりカバーエリア１３１に関連する。次に、ＭＭＥ１２０は、ＭＭＥ１２０とＩＷＳ１２２の間の（Ａ２１トンネルまたはＳ１０２トンネルなどの）インターネットワークトンネル（ｉｎｔｅｒ−ｎｅｔｗｏｒｋ  ｔｕｎｎｅｌ）を介して回線交換網／ＭＳＣに登録情報を伝達することによって、回線交換網１３０において、特にＭＳＣ１３８にＵＥ１０２を登録する（９０８）。
【００３７】
本発明の別の実施形態において、ＵＥ１０２は、パケット・データ・ネットワーク１１０を介して回線交換網１３０への別個のＣＳＦＢ登録手順（９１０）、つまりパケット・データ・ネットワーク１１０への初期登録とは別個のＣＳＦＢ登録手順（９１０）を開始することができる。例えば、ＵＥ１０２は、パケット・データ・ネットワーク１１０、特にＮｏｄｅＢ１１４およびＭＭＥ１２０を介して、ＩＷＳ１２２にＣＤＭＡ  １ｘ登録メッセージをトンネリングすることができる。ＣＤＭＡ  １ｘ登録メッセージのルーティングは、回線交換網アクセス・ネットワーク識別子（例えば、ＩＷＳ  ＩＤを含むように修正される参照セル識別子）に含まれるＩＷＳ  ＩＤに基づく。ＩＷＳ  ＩＤは、ＮｏｄｅＢ１１４からＭＭＥ１２０へのトンネリングされるＣＤＭＡ  １ｘ登録メッセージと一緒に送信される。
【００３８】
本発明のさらなる他の実施形態において、ＵＥは、パケット・データ・ネットワーク１１０、特にＮｏｄｅＢ１１４およびＭＭＥ１２０を介して、ＩＷＳ１２２への任意の種類の逆方向リンク・シグナリング・メッセージを伝達またはトンネリングすることができる。逆方向リンク・シグナリング・メッセージのルーティングは、逆方向リンク・シグナリング・メッセージと一緒に送信される回線交換網アクセス・ネットワーク識別子（例えば、ＩＷＳ  ＩＤを含むように修正される参照セル識別子）に含まれるＩＷＳ  ＩＤに基づく。本発明を限定することは全く意図していないが、例えば、逆方向リンク・シグナリング・メッセージは、アプリケーション・データ配信サービス（ＡＤＤＳ：Ａｐｐｌｉｃａｔｉｏｎ  Ｄａｔａ  Ｄｅｌｉｖｅｒｙ  Ｓｅｒｖｉｃｅ）メッセージなどのショート・メッセージ・サービス（ＳＭＳ）メッセージまたは共有秘密データ（ＳＳＤ：Ｓｈａｒｅｄ  Ｓｅｃｒｅｔ  Ｄａｔａ）メッセージなどの認証メッセージでもよい。
【００３９】
ＵＥ１０２が、例えば、回線交換網において音声呼を発信するため、回線交換網において音声呼を受信するため、または回線交換網に音声呼をハンドオーバするために回線交換網１３０とのＣＳＦＢ音声呼を確立することを決定する（９１２）とき、ＵＥは、回線交換網呼設定シグナリング（例えば、１Ｘ無線インターフェース発信シグナリング（１Ｘ  Ａｉｒ  Ｉｎｔｅｒｆａｃｅ  Ｏｒｉｇｉｎａｔｉｏｎ  Ｓｉｇｎａｌｉｎｇ））を組み立て（ａｓｓｅｍｂｌｅ）、ＮｏｄｅＢ１１４に伝達する（９１４）。次に、ＮｏｄｅＢ１１４は、回線交換網のカバー範囲１３０内のＵＥにサービスを提供するＩＷＳ、つまりＩＷＳ１２２を特定するＩＷＳ  ＩＤを含む回線交換網アクセス・ネットワーク識別子を、ＮｏｄｅＢの少なくとも１つのメモリ・デバイス３０４から取り出し（ｒｅｔｒｉｅｖｅ）（９１６）、回線交換網アクセス呼設定シグナリングおよび回線交換網アクセス・ネットワーク識別子をＭＭＥ１２０にルーティングする。例えば、回線交換網アクセス・ネットワーク識別子は、当技術分野で知られている参照セルＩＤの修正されたバージョンでもよく、その参照セルＩＤは、回線交換網のカバー範囲１３０内のＵＥにサービスを提供するＩＷＳ、つまりＩＷＳ１２２の識別子を含むように修正される。次いで、ＮｏｄｅＢ１１４は、アップリンクＳ１  ＣＤＭＡ２０００トンネリング・メッセージでＭＭＥ１２０に回線交換網呼設定シグナリングおよび回線交換網アクセス・ネットワーク識別子を伝達する（９１８）。
【００４０】
ＵＥから回線交換網呼設定シグナリングを受信することに応じて、および回線交換網アクセス・ネットワーク識別子によって特定されたＩＷＳに基づき、ＭＭＥ１２０は、回線交換網１３０内のＵＥ１０２にサービスを提供するＩＷＳ、つまりＩＷＳ１２２と、対応するＩＷＳインターフェース・モジュール、つまりＩＷＳインターフェース・モジュール６１２とを選択する（９２０）。ＭＭＥ１２０は、ＭＭＥの対応するＩＷＳインターフェース・モジュール、つまりＩＷＳインターフェース・モジュール６１２を介して、ＩＷＳ１２２へのトンネルを設定し（９２２）、（Ａ２１またはＳ１０２トンネル／プロトコルなどの）インターネットワークトンネル／プロトコルを用いて、ＩＷＳ１２２に回線交換網呼設定シグナリングを伝達する（９２４）。そして、ＩＷＳ１２２は、回線交換網呼設定シグナリングを、回線交換網１３０において呼を設定するために適切に回線交換網内で、例えば、ＭＳＣ１３８およびアクセス・ネットワーク・コントローラ１４４のうちの１または複数にルーティングし（９２６）、ＭＳＣおよびアクセス・ネットワーク・コントローラは、既知の回線交換網呼設定手順にしたがってＵＥ１０２との回線交換網の呼を設定する（９２８）。そして、論理フロー図９００は終了する（９３０）。
【００４１】
回線交換網内のＵＥ１０２にサービスを提供する回線交換網のインターワークソリューション機能（ＩＷＳ）を特定する回線交換網アクセス・ネットワーク識別子を、ＮｏｄｅＢ１１４によってＭＭＥ１２０に提供することにより、ＭＭＥ１２０は、ＭＭＥによってアクセスされる可能性がある回線交換網１３０のすべてのＭＳＣ、アクセス・ノード・コントローラ、アクセス・ノード、および／またはカバーエリア、ならびにそれぞれのそのようなＭＳＣ、アクセス・ノード・コントローラ、アクセス・ノード、および／またはカバーエリアに関連した、ＭＳＣ、アクセス・ノード・コントローラ、アクセス・ノード、および／またはカバーエリアにサービスを提供するＩＷＳを列挙するデータベースを保有する必要がない。ＭＭＥは非常に多くのＭＳＣ、アクセス・ノード・コントローラ、アクセス・ノード、および／またはカバーエリアにアクセスできる可能性があるので、そのようなデータベースは巨大である可能性がある。さらに、頻繁である可能性があるＩＷＳと回線交換網の要素との間のリンクの変更のたびに、そのようなデータベースは、修正されなければならない。したがって、ＵＥにサービスを提供する回線交換網のＩＷＳを特定する回線交換網アクセス・ネットワーク識別子を提供することによって、システムの運用者にかかるシステムの構成およびメンテナンスの負担は、軽減される。
【００４２】
上記の明細書において、特定の実施形態が説明された。しかし、当業者は、添付の特許請求の範囲に記載された本発明の範囲を逸脱することなくさまざまな修正および変更がなされ得ることを理解する。したがって、明細書および図面は、限定的な意味でなく例示的な意味に解釈されるべきであり、すべてのそのような修正は、本教示の範囲内に含まれるように意図される。
【００４３】
問題に対する利益、利点、解決法、および任意の利益、利点、または解決法をもたらすかまたはより顕著にすることができる任意の（１または複数の）要素は、任意のまたはすべての請求項の重要な、必要な、または必須の特徴または要素であるとみなされるべきでない。本発明は、本願の係属中になされたあらゆる補正および発行された特許請求の範囲のすべての均等物を含む添付の特許請求の範囲によってのみ定義される。
【００４４】
さらに、本明細書において、第１のおよび第２の、最も上のおよび最も下のなどの関係を表す語は、あるエンティティまたはアクションを、必ずしもそのようなエンティティまたはアクションの間のいかなる実際のそのような関係または順序も要求せずにまたは示唆せずに別のエンティティまたはアクションと区別するためにのみ使用され得る。用語「からなる（ｃｏｍｐｒｉｓｅｓ）」、「からなる（ｃｏｍｐｒｉｓｉｎｇ）」、「有する（ｈａｓ）」、「有する（ｈａｖｉｎｇ）」、「含む（ｉｎｃｌｕｄｅｓ）」、「含む（ｉｎｃｌｕｄｉｎｇ）」、「含む（ｃｏｎｔａｉｎｓ）」、「含む（ｃｏｎｔａｉｎｉｎｇ）」、またはこれらの任意のその他の変化形は、非排他的な包含を扱うように意図されており、したがって、要素の列挙からなる（ｃｏｍｐｒｉｓｅｓ）、有する（ｈａｓ）、含む（ｉｎｃｌｕｄｅｓ）、含む（ｃｏｎｔａｉｎｓ）工程、方法、製品、または装置は、それらの要素だけを含むのではなく、明示的に挙げられていない、またはそのような工程、方法、製品、または装置に固有のその他の要素を含み得る。「．．．からなる（ｃｏｍｐｒｉｓｅｓ．．．ａ）」、「．．．を有する（ｈａｓ．．．ａ）」、「．．．を含む（ｉｎｃｌｕｄｅｓ．．．ａ）」、「．．．を含む（ｃｏｎｔａｉｎｓ．．．ａ）」と書かれた要素は、さらなる限定がない場合、その要素からなる（ｃｏｍｐｒｉｓｅｓ）、有する（ｈａｓ）、含む（ｉｎｃｌｕｄｅｓ）、含む（ｃｏｎｔａｉｎｓ）工程、方法、製品、または装置に追加的な同一の要素が存在することを排除しない。用語「ａ」および「ａｎ」は、本明細書において別途明示的に示されない限り１または複数であるものと定義される。用語「実質的に（ｓｕｂｓｔａｎｔｉａｌｌｙ）」、「事実上（ｅｓｓｅｎｔｉａｌｌｙ）」、「約（ａｐｐｒｏｘｉｍａｔｅｌｙ）」、「およそ（ａｂｏｕｔ）」、またはそれらの任意のその他のバージョンは、当業者に理解される程度に近いことと定義され、１つの非限定的な実施形態において、この用語は、１０％以内であると定義され、別の実施形態においては、５％以内であると定義され、別の実施形態においては、１％以内であると定義され、別の実施形態においては、０．５％以内であると定義される。本明細書において使用される用語「結合された（ｃｏｕｐｌｅｄ）」は、必ずしも直接的にではなく、必ずしも機械的にではないが、接続された（ｃｏｎｎｅｃｔｅｄ）と定義される。特定の方法で「構成される（ｃｏｎｆｉｇｕｒｅｄ）」デバイスまたは構造は、少なくともその方法で構成されるが、列挙されていない方法で構成される可能性もある。
【００４５】
読者が技術的な開示の本質をすぐに確認することを可能にするために、「要約書」が提供される。「要約書」は、請求項の範囲または意味を解釈または限定するために使用されないとの理解のもとで提出される。さらに、上述の「発明を実施するための形態」においては、さまざまな特徴が、本開示を簡潔にするためにさまざまな実施形態にまとめられていることがわかる。この開示の方法は、特許請求の範囲に記載されている実施形態が各請求項に明示的に記載されているよりも多くの特徴を必要とするという意図を反映していると解釈されるべきでない。むしろ、添付の特許請求の範囲が示すように、発明の対象は単一の開示された実施形態の全ての特徴よりも少ない特徴に存する。したがって、添付の特許請求の範囲は、各請求項が別々に特許請求された対象として独立するようにして、本明細書により「発明を実施するための形態」に援用される。
【図１】
0005591884.tif 000002
【図２】
0005591884.tif 000003
【図３】
0005591884.tif 000004
【図４】
0005591884.tif 000005
【図５】
0005591884.tif 000006
【図６】
0005591884.tif 000007
【図７】
0005591884.tif 000008
【図８】
0005591884.tif 000009
【図９Ａ】
0005591884.tif 000010
【図９Ｂ】
0005591884.tif 000011